(57)【要約】【課題】多段式自動傘の開閉装置の提供。【解決手段】本構造は、中棒、制御柄、上巣、下巣、一組の傘骨アセンブリ、弾性内管、開傘弾性ばね、張り綱、階段体、からなる。制御柄上段は、復位ばねと凸台を有するボタンを設置し、下段は、階段体を鎖定するか、或いは、釈放する擺動頂板を有する。収傘状態で、ボタンの凸台が上管下部の凹位中に落入し、上管を鎖定する。ボタンを押すと、内側にシフトするが、擺動頂板に接触せず、凸台が上管下部の凹位離れ、開傘ばねの作用下で、傘は承開し、再度ボタンを押すと、階段体が釈放されて、収傘弾性ばねが傘骨アセンブリを引いて、下巣が収傘状態になる。階段体は制御柄下段に位置し、中棒の開傘弾性空間を増長して、開傘弾性ばねの弾力を増加し、四段、五段の折り畳み傘にも適用できる。【選択図】    図１
0003125521.tif 000002
【実用新案登録請求の範囲】
【請求項１】
多段式自動傘の開閉装置であって、中棒、制御柄、上巣、下巣、一組の傘骨アセンブリ、弾性内管、開傘弾性ばね、張り綱、階段体、からなり、
前記中棒は、順に、下管、一節、或いは、それ以上の中管、下端に鎖固凹位を凹設する上管、からなり、
前記制御柄は、柄体底部と前記下管底部を連接し、その上部側壁にボタンを容置し、前記ボタンは、前記上管を固定する凸台と復位ばねを有し、前記ボタン下方に枢設された推圧弾性ばねは、階段体を鎖定するか、或いは、釈放する擺動頂板を有し、前記ボタン下方の擺動頂板枢軸上方の下管外部に可動素子を有し、前記擺動頂板上段で穿出して、前記ボタンの適当な間隔に対応し、
前記上巣は、前記上管頂端に固設され、下端側壁内に外側を露出する上滑輪を枢設し、頂端側辺に固定孔を貫設し、
前記下巣は、前記上管外側に設置され、頂端側辺に下滑輪を枢結し、
前記一組の傘骨アセンブリは、前記上巣と前記下巣間に連接され、前記傘骨アセンブリ間に収傘ばねを設置し、
前記弾性内管は、前記下管内部に結合された空洞の管体で、
前記開傘弾性ばねは、前記弾性内管と前記下管間の空間内に設置され、上端が前記弾性内管上端に抵接し、
前記張り綱は、前記弾性内管内部に穿設され、尾端と前記弾性内管下端に設けられた前記階段体と連結し、もう一端が、前記上巣上滑輪と下巣下滑輪を穿繞し、前記上巣頂端の固定孔に固定され、
前記階段体は凸状体で、前記開傘弾性ばね座内に容置され、前記下管底端に容置されると共に、前記擺動頂板に対応し、頂部と前記張り綱一端が連結されることを特徴とする多段式自動傘の開閉装置。
【請求項２】
前記柄体頂端は、孔径が前記上管の孔径より大きい穿孔を貫設し、前記穿孔下方は、前記ボタンを容納する囲い状の腔体を連通し、前記腔体開口両側内壁にボタン導槽を凹設し、底部中央に、復位ばねを係入する凹槽を設置し、前記柄体下段は、前記下管下端を係入する係入孔を貫設し、前記係入孔上段に、昇高ばねを係入する径が大きい面凹孔を設け、側壁と前記擺動頂板を容置する通槽が相通し、前記通槽外側は上段がボタン口に対応してカバーを有することを特徴とする請求項１に記載の多段式自動傘の開閉装置。
【請求項３】
前記柄体下端の孔に固定された下管内部に更に、前記階段体を容置する開傘弾性ばね座を係入し、前記開傘弾性ばね座と前記下管の側壁に、前記擺動頂板を前記開傘弾性ばね座に伸入して鎖定する長形孔を設置することを特徴とする請求項２に記載の多段式自動傘の開閉装置。
【請求項４】
前記ボタンは環形フレームで、両外側のフレーム縁は腔体両側のボタン導槽に嵌入して滑移し、外端は、前記柄体外壁と相同の弧度である押圧部を設け、底端に、復位ばね一端と結合する凸部を有し、内側に、内側に向けて傾斜面を形成する鎖固凸台を有することを特徴とする請求項２に記載の多段式自動傘の開閉装置。
【請求項５】
前記擺動頂板は、中段から軸を前記柄体の通槽中に枢結し、下段一側に、前記階段体に対し鎖固する係制部を有し、もう一端に、推圧ばね一端の嵌係する凸部を設置し、上段は、前記可動素子を穿過し、前記ボタンの押圧部の擺動アームに対応することを特徴とする請求項２に記載の多段式自動傘の開閉装置。
【請求項６】
前記可動素子中央に、前記ボタンの移動方向と一致する長形孔を有し、前記長形孔一端に、に、前記擺動頂板上段の擺動アームを嵌入する定位槽を凹設することを特徴とする請求項１に記載の多段式自動傘の開閉装置。
【考案の詳細な説明】
【技術分野】
【０００１】
本考案は折り畳み傘の自動開閉装置に関し、詳細には、四つ、五つ折り以上の多段式折り畳み傘に適用できる傘の開閉制御装置に関する。
【背景技術】
【０００２】
現在の折り畳み傘の自動開閉装置は、収傘制御装置を押圧して、上巣、及び、下巣間に枢結された傘骨アセンブリと傘面折畳を制御するものである。申請者による中国実用新案第０１２０７３３４．２号の“多段式自動開閉傘体の収傘制御装置”で開示されるように、制御装置は、主に、制御柄中に滑合されたボタンを有し、ボタン中段が延伸した環形部が収傘後、中棒が圧縮状態の時、下巣の制御柄内の切口槽で係合し、最初に、ボタンの環形部を押して下巣を釈放し、中棒内の開傘弾性ばねが下巣を向上させて開傘する。次に、ボタンを押すとき、収傘制御素子が上昇し、ボタンの凸体が収傘制御素子の収傘推柱に照準して圧入し、収傘制御座の階段体を収傘制御座の中央まで推して結合を離脱させて収傘し、開閉二段式制御功能を達するものである。
【０００３】
しかし、上述の公知の三段式自動開閉装置は、実際の使用時に以下のような欠点が存在する。
【０００４】
１．中棒の圧縮状態時、収傘制御座に係結されている階段体は、制御柄の上部に位置し、開傘弾性ばねの下端も、制御柄内の上部に位置すると、中棒内の開傘ばねを容置する長さの空間が小さく、自動開閉の多段式傘は四つ折り、五つ折りである時、開傘弾性ばねが長さの制限により弾力不足になり、これにより、四つ折り、五つ折りのジャンプ傘への応用が困難である。
２．現有の多段式自動傘開閉装置の構成素子が多く、構造が複雑であるのと、加工難度が高く、製造コストが高く、制御ボタン操作上も難儀である。
【考案の開示】
【考案が解決しようとする課題】
【０００５】
本考案の目的は、上述の問題を改善するような折り畳み傘の自動開閉装置を提供することにある。
【課題を解決するための手段】
【０００６】
本考案の折り畳み傘の自動開閉装置 は、中棒の開傘弾性ばねを容置する長さ空間を増大し、その弾力を増加させ、四つ折り、五つ折り以上の多段式傘が適用できる自動開閉装置である。
【０００７】
本考案の構造が簡単で、製造加工が容易で、使用者は操作上、省力である多段式自動傘開閉装置である。
【考案の効果】
【０００８】
本考案の構造は、四つ折り、五つ折り以上の多段式傘が適用でき、構造が簡単で、製造加工が容易で、使用者は操作上、省力である。
【考案を実施するための最良の形態】
【０００９】
図１、図２は、本考案の多段式自動傘の開閉装置であって、中棒１、制御柄９、上巣２、下巣３、一組の傘骨アセンブリ４、弾性内管６、開傘弾性ばね７、張り綱８、階段体８１、からなる。
【００１０】
中棒１は、順に、下管１１、一節、或いは、それ以上の中管１２、下端に鎖固凹位１３１を凹設する上管１３、からなる。
【００１１】
制御柄９は、柄体９１底部と下管１１底部を連接してなり、下管１１内部に開傘弾性ばね座７１を係入し、その上部側壁にボタン９２を容置する。ボタン９２は、上管１３を固定する凸台９２４と復位ばね９２５を有し、ボタン９２下方に枢設された推圧弾性ばね９３５は、階段体８１を鎖定するか、或いは、釈放する擺動頂板９３を有し、ボタン９２下方の擺動頂板９３枢軸上方の下管１１外部に可動素子９４を有し、擺動頂板９３上段で穿出して、ボタン９２の適当な間隔に対応する。
【００１２】
図３で示される柄体９１頂端は、孔径が上管１３の孔径より大きい穿孔９１５を貫設し、穿孔９１５下方は、ボタン９２を容納する囲い状の腔体９１２を連通し、腔体９１２開口両側内壁にボタン導槽９１３を凹設し、柄体９１下段は、下管１１下端を係入する係入孔９１１を貫設し、係入孔９１１上段に、昇高ばね９４３を係入する径が大きい面凹孔９１６を設け、側壁と擺動頂板９３を容置する通槽９１７が相通し、通槽９１外側は上段がボタン口に対応してカバー９５を有する。
【００１３】
図４で示されるように、ボタン９２は、環形フレームで、両外側のフレーム縁は腔体９１２両側のボタン導槽９１３に嵌入して滑移し、外端は、柄体９１外壁と相同の弧度である押圧部９２１を設け、底端に、復位ばね９２５一端と結合する凸部９２３を有し、内側に、内側に向けて傾斜面を形成する鎖固凸台９２４を有し、上管１３を固定する。
【００１４】
図５で示されるように、擺動頂板９３は、中段から軸９３１を柄体９１の通槽９１７中に枢結し、下段一側に、階段体８１に対し鎖固する係制部９３２を有し、もう一端に、推圧ばね９３５一端の嵌係する凸部９３３を設置し、上段は、可動素子９４を穿過し、ボタン９２の押圧部９２１の擺動アーム９３４に対応する。
【００１５】
図６で示されるように、可動素子９４中央に、ボタンの移動方向と一致する長形孔９４１を設置し、長形孔９４１一端に、擺動頂板９３上段の擺動アーム９３４を嵌入する定位槽９４２を凹設する。
【００１６】
上巣２は、上管１３頂端に固設され、下端側壁内に外側を露出する上滑輪を枢設し、頂端側辺に固定孔を貫設する。
【００１７】
下巣３は、上管１３外側に設置され、頂端側辺に下滑輪を枢結する。
【００１８】
一組の傘骨アセンブリ４は、上巣２と下巣３間に連接され、傘骨アセンブリ４間に収傘ばね５を設置する。
【００１９】
弾性内管６は、下管１１内部に結合された空洞の管体である。
【００２０】
開傘弾性ばね７は、弾性内管６と下管１１間の空間内に設置され、上端が弾性内管６上端に抵接し、下端が開傘弾性ばね座７１頂面に頂制する。
【００２１】
張り綱８は、弾性内管６内部に穿設され、尾端と弾性内管６下端に設けられた階段体８１と連結し、もう一端が、上巣２上滑輪と下巣３下滑輪を穿繞し、上巣２頂端の固定孔に固定される。
【００２２】
階段体８１は、凸状体で、開傘弾性ばね座７１内に容置され、擺動頂板９３の係制部に対応し、頂部と張り綱８一端が連結される。
【００２３】
図１、図２を参照すると、収傘後、中棒１は圧縮状態にされ、ボタン９２の凸台９２４が上管１３下部の凹位１３１中に落入し、上管１３を鎖定して、中棒１を圧縮状態に維持し、この時、可動素子９４は中管１２底端により下に押され、ボタン９２と離されて、張り綱８の階段体８１は、頂板９３の係制部９３２により鎖定され、折畳収傘状態を達する。
【００２４】
図７で示されるように、ボタン９２の押圧部９２１をまず押して、ボタン９２を内に移動させ、可動素子９４とボタン９２が開くので、ボタン９２は内側にシフトする時、擺動頂板９３に接触せず、凸台９２４が上管１３下部の凹位１３１を離れ、上管１３に対する鎖定を解除し、中棒１が鎖定されていないので、開傘ばね７の作用下で、弾性内管６、及び、中棒１は承開し、開傘状態を形成する。この時、階段体８は擺動頂板９３により鎖定されて、張り綱８を引緊し、下巣２が下に滑動せず、可動素子９４はばね９４３の作用で上に移動して、図８で示されるように、擺動頂板９３上段の擺動アーム９３４を押圧部９２１が接触する位置まで頂推する。
【００２５】
図９で示されるように、開傘後、再度、ボタン９２を押すと、可動素子９４、及び、擺動アーム９３４が内に推され、擺動頂板９３を帯動して回転し、下端の係制部９３２を内にシフトさせ、張り綱８、及び、階段体８１に対する鎖定を釈放し、階段体８１は、張り綱８に伴って上昇し、張り綱８により引かれた下巣３は、上昇支承力を消失して下滑し、収傘ばね５が傘骨アセンブリ４を引動して、収傘状態にする。最後に、傘骨アセンブリ４全体を中棒１、及び、弾性内管６と共に下圧短縮し、上管１３、及び、階段体８１は、再度、ボタン９２の凸台９２４、及び、擺動頂板９３により鎖定し、図１で示されるような収傘状態を形成する。
【図面の簡単な説明】
【００２６】
【図１】本考案の傘体構造を示す図である。
【図２】本考案の収傘状態を示す図である。
【図３】本考案の柄体の平面図である。
【図４】本考案のボタンの平面図である。
【図５】本考案の擺動頂板の平面図である。
【図６】本考案の可動素子の平面図である。
【図７】本考案のボタンの凸台の上管凹位に対する鎖定状態を示す図である。
【図８】本考案の開傘状態を示す図である。
【図９】本考案の収傘状態を示す図である。
【符号の説明】
【００２７】
１        中棒
２        上巣
３        下巣
４        傘骨アセンブリ
６        弾性内管
７        開傘弾性ばね
８        張り綱
９        制御柄
１１      下管
１２      中管
１３      上管
７１      開傘弾性ばね座
８１      階段体
９１      柄体
９２      ボタン
９３      擺動頂板
９４      可動素子
９５      カバー
１３１    鎖固凹位
９１１    係入孔
９１２    腔体
９１３    ボタン導槽
９１５    穿孔
９１６    面凹孔
９１７    通槽  
９２１    押圧部
９２３    凸部
９２４    鎖固凸台
９２５    復位ばね
９３１    軸
９３２    係制部
９３３    凸部
９３４    擺動アーム
９３５    推圧ばね
９４１    長形孔
９４２    定位槽
９４３    昇高ばね
【図１】
0003125521.tif 000003
【図２】
0003125521.tif 000004
【図３】
0003125521.tif 000005
【図４】
0003125521.tif 000006
【図５】
0003125521.tif 000007
【図６】
0003125521.tif 000008
【図７】
0003125521.tif 000009
【図８】
0003125521.tif 000010
【図９】
0003125521.tif 000011